(57)【要約】【課題】  ディスポーザ排水中の比重の重い固形物を、搬送配管途中で堆積させないで排出する。【解決手段】  排水横枝管を二方向に分岐させ、そのうちの一つを下方向に向けることで、排水横枝管を流れてくる生ゴミを分岐配管へと導くようにする。また、分岐配管内に止水機構、トラップ機構を設け、分岐配管内を満水にすることで、比重の差により生ゴミを分別回収する。止水機構及び固形物搬送手段として、分岐配管に逆流防止機構、防臭機構及び固形物逆流防止機構を備えた水道配管を接続し、分岐配管に収集された固形物を別系統の排水配管により強制的に搬送する。排水横枝管は大口径の配管を用いるとともに、それに接続する固形物搬送配管を排水横枝管より小口径として、排水又は厨芥固形分などを効果的に搬送処理する。また、分岐配管と搬送装置、逆流防止機構、固形物逆流防止機構及び止水装置とを一つのパッケージとして構成し、施工を容易にする。【選択図】図１
2006214200.tif 000002
【特許請求の範囲】
【請求項１】
ディスポーザ排水を排水する排水横枝管を下向きに分岐させ、主に比重の重い固形物を分岐配管に分別収集し、分岐収集後の排水横枝管は主として排水を、固形物は固形物搬送配管で搬送させることを特徴とした、ディスポーザの排水搬送方法。
【請求項２】
前記固形物搬送配管に分別収集された固形物を、固形物搬送手段により強制搬送させるようにした、請求項１に記載のディスポーザの排水搬送方法。
【請求項３】
前記排水搬送をディスポーザの運転と連動することにより、ディスポーザの破砕物に含まれる比重の重い固形分を強制搬送することを特徴とした、請求項１に記載の排水搬送方法。
【請求項４】
ディスポーザの排水横枝管に三又継手を介して下向き分岐配管を接続し、該分岐配管内に止水機構及び固形物搬送手段を設け、排水横枝管から排水中の固形物を該分岐配管に収集し排出するようにしたことを特徴とする、ディスポーザの排水搬送装置。
【請求項５】
排水横枝管より分岐された分岐配管と、それに接続する固形物搬送配管を排水横枝管より小口径とした、請求項４に記載のディスポーザの排水搬送装置。
【請求項６】
前記止水機構及び固形物搬送手段として、分岐配管に接続する固形物搬送配管に、逆流防止機構、防臭機構及び固形物逆流防止機構を備えた水道配管を接続した、請求項４又は５に記載のディスポーザの排水搬送装置。
【請求項７】
前記固形物搬送手段として、分岐配管に接続する固形物搬送配管に、固形物を別系統の固形物搬送配管で強制搬送するポンプを接続した、請求項４又は５に記載のディスポーザの排水搬送装置。
【請求項８】
前記固形物搬送手段として、分岐配管に接続する固形物搬送配管の中間部に、高圧水を噴射するジェットノズルを備えた膨出部からなるジェット装置を接続した、請求項４又は５に記載のディスポーザの排水搬送装置。
【請求項９】
前記固形物搬送手段として、サイフォン作用により固形物を搬送するトラップを分岐管中に設けた、請求項４又は５に記載のディスポーザの排水搬送装置。
【請求項１０】
前記トラップは、逆流防止機構を備えた水道配管に接続され、ディスポーザからの信号、タイマー、水道配管に設けたフロースイッチにより水道水を供給される、請求項９に記載のディスポーザの排水搬送装置。
【請求項１１】
分岐配管と搬送装置、逆流防止機構、固形物逆流防止機構及び止水装置とを一つのパッケージとして構成した、請求項４又は５に記載のディスポーザの排水搬送装置。
【発明の詳細な説明】
【技術分野】
【０００１】
この発明は、厨房排水、台所排水などの排水処理、特にディスポーザ排水又は厨芥固形分などを搬送する排水配管設備に利用される、排水搬送方法及び装置に関する。
【背景技術】
【０００２】
従来、厨房排水、台所排水、特にディスポーザ排水は、排水配管の排水勾配を1/50以上に設定していた。また、多量の追い水、もしくは排水配管途中にポンプを取り付け強制排水するようにされていた。
【発明の開示】
【発明が解決しようとする課題】
【０００３】
厨房排水、台所排水、特にディスポーザ排水には、比重の重い固形物、軽い固形物など多種多様である。その中で、比重の重い生ゴミは管底を流れるため多量の水を流しても影響を受け難く、配管途中で堆積し配管閉塞の危険性がある。
【０００４】
第一に、強制的に多量の水を排水すると比重の重い生ゴミが幾分流れるが、堆積量の基準がディスポーザに投入された物の種類により大きく異なり、適切な水量が分からない。また、排水横枝管の長さによっても必要とされる水量が異なるため、必要水量を維持することができない。
【０００５】
第二に、排水横枝管を分岐させずに、配管の途中にポンプを設置し強制排水させる場合、ポンプそのものに固形物が付着し、閉塞する可能性がある。また、固形物搬送時以外もポンプを運転させないと排水できないため不経済である。さらに、ポンプが故障した場合には、全ての排水ができなくなる。
【０００６】
第三に、排水を配管途中タンク等で一旦貯留し、ポンプにより排水する場合、貯留している箇所より臭気が発生する。また、高層マンションなどでは各階の各戸にタンクとポンプが必要となり、メンテナンスが困難である。
【０００７】
第四に、比重の重い固形物を排出するためには、排水横枝管の配管勾配を1/50以上とる必要があり、高さ方向の配管施工スペースが大きくなり、結果床下の不要なスペースが増えることになり不経済である。
【課題を解決するための手段】
【０００８】
そこでこの発明では、排水横枝管を二方向に分岐させ、そのうちの一つを下方向に向けることで、排水横枝管を流れてくる生ゴミを分岐配管へと導くようにする。また、分岐配管内に止水機構、トラップ機構を設け、分岐配管内を満水にすることで、比重の差により生ゴミを分別回収する。さらに、分岐配管と搬送装置、固形物搬送配管を接続することにより、分岐配管に収集された固形物を、別系統の排水配管としての固形物搬送手段により、強制的に搬送するようにして、排水又は厨芥固形分などを効果的に搬送処理する。
【０００９】
この発明は、さらに排水横枝管に、配管径４０Ａ，５０Ａ等の大口径のものを使用するとともに、分岐配管と、それに接続する固形物搬送配管を排水横枝管より小口径のものを使用する。大口径の排水横枝管は、配管内が満水状態になることは無く、その結果、配管内の表層部は流れが速く、管底部は流れが遅くなり、比重の重いゴミが管底に堆積し、固形物搬送配管へと誘導される。一方、固形物搬送配管は小口径であるので、配管内は常に満水状態であり、均一速度の流れが生ずるので、ゴミが均一に搬送され、その結果、搬送装置からの固形物が効率よく搬送される。また、分岐配管、搬送装置を配管の繋ぎ込みだけで施工できるようにパッケージにすることにより、ディスポーザの施工が容易になるようにしている。
【発明の効果】
【００１０】
この発明は、以上のように構成したので、下記のような効果が得られる。
（１）固形分を強制的に搬送することにより、排水横枝管の閉塞を防ぐことができる。
（２）排水横枝管に堆積しやすい物は固形物搬送配管にて搬送するため、排水横枝管の配管勾配を1/100以下に施工でき、配管の施工スペースである床下のスペースが小さくて済む。
（３）排水横枝管に通常の排水（固形物を含まない）が流入する場合、固形物搬送配管による強制搬送を行う必要がないため、経済的である。
（４）搬送装置が故障した場合でも、多量の固形物を含まない通常の排水は搬送可能であるため、使用者のリスクが軽減できる。
【発明を実施するための最良の形態】
【００１１】
図１に、この発明の方法を実施するための最良の形態として、排水搬送装置を設置したディスポーザの概要を示す。ディスポーザ１は制御装置２からの制御信号によって作動され、粉砕された固形物を、排水とともに排水横枝管を介して排水搬送装置３に送る。排水搬送装置３は図２以下に詳細に記するように、排水横枝管を三方管などにより下向きに分岐させ、主に比重の重い固形物を分岐配管に分別収集し、収集後、排水横枝管４とは別系統の固形物搬送配管５で搬送させるようにしている。止水機構及び防臭機構としては、逆流防止装置（バキュームブレーカ）６その他周知の機構が用いられ、電磁弁７を介して水道配管８からの水をディスポーザ１に送ると共に、分岐された水道配管８の水を排水搬送装置３に送り、排水及び固形物搬送を促進させる。このようにして排水搬送装置３から送り出された排水及び固形物は、排水横枝管４及び固形物搬送枝管５を介して、排水縦主管９に搬送処理される。
【実施例１】
【００１２】
この発明によるのディスポーザの排水搬送装置３において、排水横枝管４は大口径の配管を用いるとともに、排水横枝管４より分岐された分岐配管と、それに接続する固形物搬送枝管５は、図１に示すように排水横枝管４より小口径のものを使用する。この小口径の選択により、排水搬送装置３からの固形物を、大量に排水が流下する排水横枝管４から、固形物だけを効率よく選択的に分岐搬送することができる。
【実施例２】
【００１３】
図２に、この発明のディスポーザの排水搬送装置において、排水横枝管の分岐配管１０から下向きに分岐された固形物搬送配管５の途中にポンプ１１を設けて、配管内の固形物を強制搬送させるようにする。このポンプ１１は  ディスポーザの制御装置２からの制御信号により、ディスポーザの運転に同期させて制御される。
【実施例３】
【００１４】
図３に、この発明のディスポーザの排水搬送装置において、排水横枝管の分岐配管１０から下向きに分岐された固形物搬送配管５の途中に電動弁１２を設けると共に、この電動弁１２直下の固形物搬送配管５内に水道配管１３の端末を開口させ、止水装置としての電磁弁１４の開閉により、固形物搬送配管５内の固形物を、水道水で強制的に搬送させるようにする。この固形物が水道配管１３に逆流しないように、前記水道配管１３の開口直前に、固形物逆流防止装置１５を設ける。これら電動弁１２及び電磁弁１４は、ディスポーザの制御装置２と接続され、前述した実施例と同様、ディスポーザの制御装置２からの制御信号により、ディスポーザの運転に同期させて制御される。
【実施例４】
【００１５】
図４に、この発明のディスポーザの排水搬送装置において、排水横枝管の分岐配管１０から下向きに分岐された固形物搬送配管５にトラップ１６を設け、サイフォン作用により固形物を搬送する。またこのトラップ１６の端部に水道配管１３の端末を開口させ、電磁弁１４の開閉により、固形物搬送配管５内の固形物を、トラップ１６とともに水道水で強制的に搬送させるようにする。この電磁弁１４は、ディスポーザの制御装置２と接続され、前述した実施例と同様、ディスポーザの制御装置２からの制御信号により、ディスポーザの運転に同期させて制御される。
【実施例５】
【００１６】
図５に、この発明のディスポーザの排水搬送装置において、排水横枝管の分岐配管１０から下向きに分岐された固形物搬送配管の中間部に、高圧水を噴射するジェットノズル１７を備えた膨出部からなるジェット装置１８を接続し、このジェット装置１８に電磁弁１７によって開閉される水道配管１３の端末を開口させる。この電磁弁１７は、ディスポーザの制御装置２と接続され、前述した実施例と同様、ディスポーザの制御装置２からの制御信号により、ディスポーザの運転に同期させて制御される。また、分岐配管１０からジェット装置１８までの間の固形物搬送配管をトラップ１９にすることで、固形物の強制搬送をより促進させることができる。
【実施例６】
【００１７】
図６に、この発明のディスポーザの排水搬送装置において、分岐配管と搬送装置とを一つのパッケージ２０として構成したものの一実施例を示す。この実施例では、排水横枝管の１次側接続口４’と２次側接続口４”との間に分岐配管１０を設け、固形物搬送配管５との間に止水機構として電動弁１２を配置する。分岐配管１０と固形物配管５の接続部分に、水道配管１３の端末を開口させ、止水装置としての電磁弁１４の開閉により、固形物逆流防止装置１５を設けた固形物搬送配管５内の固形物を、水道水で強制的に搬送させるようにする。排水横枝管の１次側接続口４’と２次側接続口４”、固形物搬送配管の接続口５’及び水道配管接続口１３’はパッケージ２０の外面に設けられ、パッケージ２０が所定位置に設置された後、夫々の外部配管と接続される。この電磁弁１４は、ディスポーザの制御装置２と接続され、前述した実施例と同様、ディスポーザの制御装置２からの制御信号により、ディスポーザの運転に同期させて制御される。
【図面の簡単な説明】
【００１８】
【図１】ディスポーザ、排水横枝管、分岐配管、搬送装置の設置図である。
【図２】排水横枝管を分岐させ、ポンプにより固形物を搬送させる装置図である。
【図３】排水横枝管を分岐させ、水道水で強制的に固形物を搬送させる装置図である。
【図４】排水横枝管を分岐させ、分岐の先に封水機構を備えたトラップを取り付け、サイフォンの作用と水道水で固形物を搬送させる装置図である。
【図５】排水横枝管を分岐させ、分岐の先に封水機構を備えたトラップを取り付け、水道水によりジェットの効果で強制的に固形物を搬送させる装置図である。
【図６】排水横枝管を分岐させ、分岐の先に止水機構を取り付け、水道圧により固形物を強制的に搬送させる装置をパッケージにしたものである。
【符号の説明】
【００１９】
１．ディスポーザ
２．制御装置
３．排水搬送装置
４．排水横枝管
５．固形物搬送配管
６．逆流防止装置
７．電磁弁
８．水道配管
９．排水縦主管
１０．分岐配管
１１．ポンプ
１２．電動弁
１３．水道配管
１４．電磁弁
１５．固形物逆流防止装置
１６．トラップ
１７．ジェットノズル
１８．ジェット装置
１９．トラップ
２０．パッケージ
【図１】
2006214200.tif 000003
【図２】
2006214200.tif 000004
【図３】
2006214200.tif 000005
【図４】
2006214200.tif 000006
【図５】
2006214200.tif 000007
【図６】
2006214200.tif 000008